(57)【要約】【課題】倒伏した便蓋が便座ボックス等のケースの上面の略全体を覆い、便蓋とケースとの間隙に塵やゴミが入ることが防止されると共に、人体検知センサも一体的に組み込むことができる便蓋装置を提供する。【解決手段】便蓋２４は、外面部２４ａと、外面部２４ａの裏面に倣って配置された内面部２４ｂとからなる二重構造となっており、これらの間には、スペース２４ｃが形成されている。便蓋２４の前縁部に人体検知センサユニット３０が設けられている。センサユニット３０は、下部に重りを備え、センサ支持体３６に対し中空筒状のセンサ支軸３０ｓを介して回動自在に支持されている。ハーネス４０は、スペース２４ｃ内を引き回され、支軸２５Ａの連通孔２５ａを通って便座ボックス２１内の制御基板４１まで配線されている。【選択図】  図３
2004267349.tif 000002
【特許請求の範囲】
【請求項１】
洋風便器の後部上面に設置されたケースと、該ケースに対し起倒回動可能に連結された便蓋とを有し、該便蓋は倒伏時に該ケース上面の略全体を覆う便蓋装置において、
該便蓋に人体検知センサが配置されていることを特徴とする便蓋装置。
【請求項２】
請求項１において、前記便蓋が二重構造となっており、該便蓋の先端に人体検知センサが配置されており、該人体検知センサからの配線が、該二重構造をした便蓋内を通って便蓋後端に設けられた孔から外に引き出され、前記ケースに設けられた孔から該ケース内に引き入れられて該ケースに内蔵された制御基板まで引き回されていることを特徴とする便蓋装置。
【請求項３】
請求項１において、前記便蓋が二重構造となっており、該便蓋の先端に人体検知センサが配置されており、該人体検知センサからの配線が、該二重構造をした便蓋内を通り、便蓋と前記ケースとのヒンジ部の内部を通ってケース内に引き入れられ、該ケースに内蔵された制御基板まで引き回されていることを特徴とする便蓋装置。
【請求項４】
請求項１において、前記便蓋の外縁が中空の筒状となっており、該便蓋の先端に人体検知センサが配置されており、該人体検知センサからの配線が、筒状になっている便座の外縁を通り、該便蓋と前記ケースとのヒンジ部の内部を通って該ケース内に引き入れられ、該ケースに内蔵された制御基板まで引き回されていることを特徴とする便蓋装置。
【請求項５】
請求項１において、該人体検知センサは便蓋が倒状している状態において前方を向くように配置された第１の人体検知センサと、便蓋が起立している状態において前方を向くように配置された第２の人体検知センサとからなり、
便蓋の起倒状態を検知する便蓋状態検知センサが設けられており、
該便蓋が倒状状態のときには第１の人体検知センサが作動し、便蓋が起立状態のときには第２の人体検知センサが作動することを特徴とする便蓋装置。
【請求項６】
請求項５において、前記第２の人体検知センサは便座に着座した人体を検知可能であることを特徴とする便蓋装置。
【請求項７】
請求項１において、前記人体検知センサは、便蓋に回動自在に取り付けられていると共に、便蓋の起倒状態にかかわらず常に該人体検知センサが便器前方を指向するように構成されていることを特徴とする便蓋装置。
【請求項８】
請求項７において、前記人体検知センサには重りが設けられていることを特徴とする便蓋装置。
【請求項９】
請求項５ないし８のいずれか１項において、前記人体検知センサは便蓋の中央部付近に配置されていることを特徴とする便蓋装置。
【発明の詳細な説明】
【０００１】
【発明の属する技術分野】
本発明は、洋風便器に設置される便蓋装置に関するものであり、特に便蓋がケース上面の略全体を覆う便蓋装置に関する。
【０００２】
【従来の技術】
洋風便器の後部上面に便座ボックスが設置され、この便座ボックスに便座及び便蓋を起倒方向回動可能に取り付けた洋風便器設備が広く用いられている。
【０００３】
第９図は便座ボックスを備えた洋風便器の一例を示しており、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。この便座ボックス３の上面の前部に人体検知センサが設置されている。この人体検知センサの検知信号に基づいて、便蓋が自動的に開閉したり、あるいは便器の自動洗浄が行われる。
【０００４】
この便蓋５と便座ボックス３との間には便蓋５の起倒回動を許容するように所定の間隙があいている。なお、この間隙を過度に狭くすると、便蓋５を起立させるときに便蓋５の後縁が便座ボックス３に当ってしまう。
【０００５】
このように便蓋５と便座ボックス３との隙間があいていると、この隙間に塵やゴミが入ることがある。
【０００６】
このような便蓋と便座ボックスとの隙間が全く生じないタイプの便蓋装置として、特開２００１−１１５５２６号の図３３，３４には、添付の第１０図（ａ），（ｂ）に示すように、便蓋１０を便座ボックス１２の後縁上部に支軸１１によって枢支したものが記載されている。なお、第１０図において、符号１３はロータンク、符号１４は手洗用鉢部を示す。
【０００７】
【特許文献１】
特開２００１−１１５５２６号公報
【０００８】
【発明が解決しようとする課題】
上記特開２００１−１１５５２６号公報では、便座ボックス上面に人体検知センサを配置できないという不便がある。即ち、第１０図において便座ボックス１２の上面に人体検知センサを配置したのでは、便蓋１０の倒伏時に人体検知センサが便蓋１０で覆われてしまう。
【０００９】
本発明は、倒伏した便蓋が便座ボックス等のケースの上面の略全体を覆い、便蓋とケースとの間隙に塵やゴミが入ることが防止されると共に、人体検知センサも一体的に組み込むことができる便蓋装置を提供することを目的とする。
【００１０】
【課題を解決するための手段】
本発明（請求項１）の便蓋装置は、洋風便器の後部上面に設置されたケースと、該ケースに対し起倒回動可能に連結された便蓋とを有し、該便蓋は倒伏時に該ケース上面の略全体を覆う便蓋装置において、該便蓋に人体検知センサが配置されていることを特徴とするものである。
【００１１】
かかる便蓋装置にあっては、便蓋に人体検知センサを設けているので、便蓋を倒状させた状態において人体検知センサによって人体を検知することができる。
【００１２】
本発明では、便蓋が二重構造となっており、該便蓋の先端に人体検知センサが配置されており、該人体検知センサからの配線が、該二重構造をした便蓋内を通って便蓋後端に設けられた孔から外に引き出され、前記ケースに設けられた孔から該ケース内に引き入れられて該ケースに内蔵された制御基板まで引き回されている構成とされてもよい（請求項２）。
【００１３】
このように構成した場合には、人体検知センサが便蓋の先端に配置されているため、便蓋が倒状した状態において人体検知センサが便器前方の人体に最も近くに位置し、かつ人体と人体検知センサとの間に障害物がない。従って、確実に人体を検知することができる。また、配線の大部分が便蓋の内部及びケース内部に配置されているため、美観に優れる。
【００１４】
本発明では、便蓋が二重構造となっており、該便蓋の先端に人体検知センサが配置されており、該人体検知センサからの配線が、該二重構造をした便蓋内を通り、便蓋と前記ケースとのヒンジ部の内部を通ってケース内に引き入れられ、該ケースに内蔵された制御基板まで引き回されている構成とされてもよい（請求項３）。
【００１５】
かかる構成の便蓋装置にあっては、配線の全体が便蓋やケースの内部に配置されるため、美観に極めて優れている。
【００１６】
本発明では、便蓋の外縁が中空の筒状となっており、該便蓋の先端に人体検知センサが配置されており、該人体検知センサからの配線が、筒状になっている便座の外縁を通り、該便蓋と前記ケースとのヒンジ部の内部を通って該ケース内に引き入れられ、該ケースに内蔵された制御基板まで引き回されている構成とされてもよい（請求項４）。
【００１７】
この構成の便蓋装置にあっても、伝達コードが便蓋やケースの外側に配線されることがないため、美観に極めて優れている。
【００１８】
本発明では、人体検知センサは便蓋が倒状している状態において前方を向くように配置された第１の人体検知センサと、便蓋が起立している状態において前方を向くように配置された第２の人体検知センサとからなり、便蓋の起倒状態を検知する便蓋状態検知センサが設けられており、該便蓋が倒状状態のときには第１の人体検知センサが作動し、便蓋が起立状態のときには第２の人体検知センサが作動する構成とされてもよい（請求項５）。
【００１９】
かかる便蓋装置にあっては、便蓋がいかなる開閉状態にあっても、第１の人体検知センサ及び第２の人体検知センサのうち前方を向いているものによって、人体を検知することができる。
【００２０】
なお、第２の人体検知センサは便座に着座した人体を検知するよう構成されてもよい（請求項６）。
【００２１】
本発明では、人体検知センサは、便蓋に回動自在に取り付けられていると共に、便蓋の起倒状態にかかわらず常に該人体検知センサが便器前方を指向するように構成してもよい（請求項７）。
【００２２】
このように構成した場合には、便蓋がいかなる起倒状態にあっても前方の人体を検知することができる。また、人体検知センサは１個で足りる。
【００２３】
この場合、人体検知センサは、人体検知センサに重りが設けられてもよい（請求項８）。これにより、該人体検知センサは、便蓋の開閉に伴って該人体検知センサが前方を向くように迅速に回動する。
【００２４】
上記の請求項５〜８の場合、人体検知センサは便蓋の中央部付近に配置されていてもよい。このようにすれば、便蓋及び便座の双方が起立した状態にあるときに、便座の中央孔を通して人体検知センサが便器前方の人体を検知することができる。
【００２５】
【発明の実施の形態】
以下、図面を参照して実施の形態について説明する。
【００２６】
第１図は実施の形態に係る便蓋装置を備えた洋風便器の側面図であり、第２図は第１図の便蓋が起立した状態を示す斜視図であり、第３図は第１図のＩＩＩ−ＩＩＩ線に沿う模式的な断面図であり、第４図は第１図の便蓋装置の人体検知センサユニット近傍を示す縦断面図であり、第４図（ａ）は便蓋が倒伏した状態、第４図（ｂ）は便蓋が起立した状態を示す。
【００２７】
洋風便器２０の後部上面に便座ボックス２１が設置され、この便座ボックス２１の前部に支軸２２を介して便座２３が起倒回動可能に取り付けられていると共に、便蓋２５が支軸２５Ａと駆動軸２５Ｂを介して起倒回動可能に取り付けられている。
【００２８】
便座ボックス２１の後部右側（第３図の右下側）の側面に支軸２５Ａが配置されている。この支軸２５Ａの軸心線方向には、便座ボックス２１と連通する連通孔２５ａが貫設されている。
【００２９】
便座ボックス２１の後部左側（第３図の左下側）の側面に設けられた開口２１ａから駆動軸２５Ｂが突設されている。この駆動軸２５Ｂは、支軸２５Ａと同軸配置されており、その先端は便蓋２４の軸嵌合固定部材２４ｅに対し固定されている。便座ボックス２１内に配置されたモータ（図示略）により該駆動軸２５Ｂが回転される。このモータは、人体検知センサの検知信号に基づいて制御される。
【００３０】
便蓋２４は、便蓋２４の外面を形成する外面部２４ａと、この外面部２４ａより若干小さな略相似形状をなし、外面部２４ａの裏面に倣って配置された内面部２４ｂとからなる二重構造となっている。この外面部２４ａと内面部２４ｂとの間には、スペース２４ｃ形成されている。この外面部２４ａと内面部２４ｂとの外周縁同士は、接着剤や超音波溶着等によって、連結されている。
【００３１】
内面部２４ｂの後部右側（第３図の右下側）の側面に設けられた開口２４ｄに、前記支軸２５Ａが挿通されている。便蓋２４の前端部には後述する人体検知センサユニット３０が設置されている。人体検知センサユニット３０からの検知信号を伝達するためのハーネス４０が、人体検知センサユニット３０から、スペース２４ｃ内を引き回され、支軸２５Ａの連通孔２５ａを通って便座ボックス２１内の制御基板４１に接続されている。
【００３２】
便蓋２４の前端部は、便座２３の前端部や便器２０の前端部よりも前方に延出しており（第１図参照）、この便蓋２４の前端部に人体検知センサユニット３０が設けられている。
【００３３】
第４図の通り、この人体検知センサユニット３０は、赤外線透過材料よりなる円筒形のケーシング３５と、該ケーシング内に配置された発光素子３１、受光素子３２、基板３３及び重り３４とを備えている。この人体検知センサユニット３０は、赤外線透過材料よりなるセンサ支持体３６に対し中空筒状のセンサ支軸３０ｓ（第３図参照）を介して回動自在に支持されている。
【００３４】
このセンサ支軸３０ｓは円筒形ケーシング３５の軸心線と同軸に設けられている。前記重り３４はケーシング３５の内壁の一部に固着されている。従って、便蓋２４が回動すると、人体検知センサユニット３０は、センサ支軸３０ｓ回りに回動し、常に重り３４が最下位となり、人体検知センサユニット３０が洋風便器の前方（正確には、斜め上向きの前方）を指向した姿勢となる。
【００３５】
センサ支持体３６は、便蓋２４の前縁部に固着されている。なお、ハーネス４０は、このセンサ支持体３６からケーシング３５のセンサ支軸３０ｓを通って該ケーシング３５内に引き込まれ、基板３３に接続されている。
【００３６】
このように構成された便蓋装置は、回動自在な人体検知センサユニット３０に重り３４が設けられているので、便蓋２４の起倒状態の如何にかかわらず該人体検知センサユニット３０は発光素子３１及び受光素子３２が常に前方を向く姿勢をとる。従って、１個の人体検知センサユニット３０によって前方の人体を確実に検知することができる。
【００３７】
この人体検知センサユニット３０は、便蓋２４の前縁部に配置されているため、便蓋２４が起立していても、また倒状している状態においても、便座２３の起立倒状状態の如何にかかわらず洋風便器前方の人体を検知することができる。
【００３８】
この実施の形態ではハーネス４０が便蓋２４内のスペース２４ｃ及び支軸２５Ａの開口２５ａを通って便座ボックス２１内に引き込まれており、ハーネス４０が外部に全く露出せず、美観が良好であると共に、ハーネス４０が悪戯を受けたりすることもない。
【００３９】
第５図は別の実施の形態に係る便蓋装置の斜視図である。
【００４０】
この実施の形態では、便蓋２４Ａの内面部２４ｂのうち、便座ボックス２１の近傍の位置に、開口２４ｇが設けられている。便座ボックス２１には、便蓋２４Ａが倒状したときに該開口２４ｇが対面する位置に開口２１ｂが設けられている。ハーネス４０は、この開口２４ｇから外側に引き出され、次いで開口２１ｂを通って便座ボックス２１内に引き込まれ、制御基板まで配線されている。本実施の形態に係る便蓋装置のその他の構成は上記実施の形態に係る便蓋装置と同様であり、図中の同一符号は同一部分を示している。
【００４１】
本実施の形態に係る便蓋装置にあっても、ハーネス４０の大部分が便蓋２４内部及び便座ボックス２１内部に配線されているため、美観に優れている。また、便蓋２４と便座ボックス２１とを連結する支軸２５Ａ内にハーネス４０を通す必要がないため、組み立てが比較的簡単である。
【００４２】
第６図（ａ）はさらに別の実施の形態に係る便蓋装置の平面図であり、第６図（ｂ）は第６図（ａ）のＢ−Ｂ線に沿う断面図である。
【００４３】
この実施の形態では、便蓋５０は、左右の両サイド及び前縁部に沿って垂下片５０ａを有している。この垂下片５０ａの下端には、便蓋５０の辺縁方向に延在する空洞部５０ｂが設けられている。
【００４４】
便蓋５０の前縁部には、上記実施の形態と同じく、センサ支持体３６を介して人体検知センサユニット３０が設置されている。また、第１図〜第４図の実施の形態と同様に、便蓋５０は便座ボックス２１に対して中空支軸２５Ａによって起倒回動自在に連結されている。
【００４５】
ハーネス４０は、人体検知センサユニット３０から、空洞部５０ｂ内を引き回され、中空支軸２５Ａを通り、便座ボックス２１内の制御基板４１まで配線されている。
【００４６】
本実施の形態に係る便蓋装置にあっても、ハーネス４０の全体が便蓋５０及び便座ボックス２１の内部に配線されているため、美観に優れていると共に、ハーネスが悪戯を受けることがない。この実施の形態にあっては、便蓋全体を二重構造とする必要がないため、便蓋の製造コストが低減される。
【００４７】
第７図は異なる実施の形態に係る便蓋装置の便蓋２４Ｂの前後方向の縦断面図である。この便蓋２４Ｂは、第１〜４図の便蓋２４と同様に二重構造となっており、外面部２４ａと内面部２４ｂとの間にスペース２４ｃが形成されている。人体検知センサユニット３０は、第１〜４図の人体検知センサユニット３０と全く同一構造のものであるが、便蓋２４Ｂに対し直接に回動自在に取り付けられている。即ち、この人体検知センサユニット３０は、便蓋２４の中央部付近（前後及び左右の中央付近）に設けられた開口２４ｈに収容されている。そして、この人体検知センサユニット３０のケーシング３５のセンサ支軸３０ｓ（第７図では図示略）が便蓋２４Ｂの軸受部（図示略）にその軸心回りに自転自在に嵌合している。
【００４８】
人体検知センサユニット３０から引き出されたハーネス４０（第７図では図示略）は、スペース２４ｃから便蓋支軸２５Ａを通って便座ボックス内に引き込まれている。
【００４９】
本実施の形態に係る便蓋装置においても、便蓋２４Ｂが起倒回動した場合、人体検知センサユニット３０は常に重り３４が最下位となるように回動するので、その発光素子３１及び受光素子３２が常に前方を向く。従って、１個の人体検知センサユニット３０によって前方の人体を確実に検知することができる。また、ハーネス４０の全体が便蓋２４Ｂ及び便座ボックス（図示略）内部に配線されているため、美観に優れていると共に、悪戯を受けることもない。
【００５０】
なお、便蓋２４Ｂ及び便座が起立した場合、人体検知センサユニット３０は便座の中央孔を通して前方の人体を検知することができる。
【００５１】
第８図は、さらに異なる実施の形態に係る便蓋装置の便蓋を示す断面図であり、第８図（ａ）は便蓋倒状状態の便蓋を示し、第８図（ｂ）は便蓋起立状態を示す。
【００５２】
この第８図の実施の形態は、第７図の実施の形態において回動式の人体検知センサユニット３０を固定式のセンサユニット６０に変更したこと以外は第７図の便蓋装置と同一である。即ち、第８図では、便蓋２４Ｂの中央に設けられた開口２４ｈに、センサユニット６０が嵌合されて固着されている。このセンサユニット６０は、赤外線透過性樹脂からなるケーシング６１と、該ケーシング６１内に設置された基板６４と、この基板６４上に設置された便蓋倒状時用の人体検知センサ６２及び便蓋起立時用の人体検知センサ６３とからなっている。人体検知センサ６２，６３の各々は、発光素子と受光素子を備えている。
【００５３】
図示はしないが、便座ボックス内には、便蓋が起立しているかどうかを検知する便蓋状態検知センサが設けられている。この便蓋状態検知センサは、リミットスイッチ等であってもよく、自動開閉式便蓋の場合には、モータの回転位相を検知するエンコーダであってもよい。
【００５４】
第８図（ａ）に示す通り、便蓋２４Ｂが倒状している状態においては、便蓋状態検知センサからの便蓋倒状信号に基づき、便蓋倒状時用の人体検知センサ６２が作動し、便器前方の人体の有無を検知する。
【００５５】
一方、第８図（ｂ）に示す通り、便蓋２４Ｂが起立すると、便蓋状態検知センサからの便蓋起立信号に基づき、便蓋起立時用の人体検知センサ６３を作動させる。この人体検知センサ６３は便器の立使用者のほか、便座（図示略）への着座を検知することができる。
【００５６】
本実施の形態に係る便蓋装置にあっても、便蓋２４Ｂが倒状又は起立のいずれの状態においても確実に人体を検知することができる。
【００５７】
上記実施の形態は本発明の一例であり、本発明は図示以外の形態をもとりうる。
【００５８】
【発明の効果】
以上の通り、本発明によると、倒伏した便蓋が便座ボックス等のケースの上面の略全体を覆い、便蓋とケースとの間隙に塵やゴミが入ることが防止されると共に、人体検知センサを便蓋に一体的に組み込んだ便蓋装置が提供される。
【図面の簡単な説明】
【図１】実施の形態に係る便蓋装置を備えた洋風便器の側面図である。
【図２】図１の便蓋が起立した状態を示す斜視図である。
【図３】図１のＩＩＩ−ＩＩＩ線に沿う模式的な断面図である。
【図４】（ａ）図は図１の便蓋装置における倒伏状態の便蓋の人体検知センサユニット近傍を示す縦断面図であり、（ｂ）図は図１の便蓋装置における起立状態の便蓋の人体検知センサユニット近傍を示す縦断面図である。
【図５】別の実施の形態に係る便蓋装置の斜視図である。
【図６】（ａ）図はさらに別の実施の形態に係る便蓋装置の模式的な正面図であり、（ｂ）図は（ａ）図のＢ−Ｂ線に沿う断面図である。
【図７】異なる実施の形態に係る便蓋装置の便蓋の断面図である。
【図８】（ａ）図はさらに異なる実施の形態に係る便蓋装置における倒状状態の便蓋を示す断面図であり、（ｂ）図は（ａ）図の便蓋が起立した状態を示す断面図である。
【図９】従来例の斜視図である。
【図１０】別の従来例の側面図である。
【符号の説明】
２０  洋風便器
２１  便座ボックス
２３  便座
２４，２４Ｂ  便蓋
２５Ａ  支軸
２５Ｂ  駆動軸
３０，６０  センサユニット
６２，６３  センサ
３４  重り
３５  中空球状体
４０  ハーネス
５０  便蓋
５０ａ  垂下片
５０ｂ  空洞部
【図１】
2004267349.tif 000003
【図２】
2004267349.tif 000004
【図３】
2004267349.tif 000005
【図４】
2004267349.tif 000006
【図５】
2004267349.tif 000007
【図６】
2004267349.tif 000008
【図７】
2004267349.tif 000009
【図８】
2004267349.tif 000010
【図９】
2004267349.tif 000011
【図１０】
2004267349.tif 000012